(57)【要約】      （修正有）【課題】いろいろな形状の用紙へプリント可能にするプリント台紙を提供する。【解決手段】台紙形状は長方形で、厚さ０．３ｍｍ位の紙素材とし、内側を長方形に切り抜いた枠に、この枠と同じ大きさの再剥離シールを張り合わせた形のもので、異形又は薄いプリント媒体等を貼り付けてインクジェットプリンターでプリントする。【選択図】図３
0003136665.tif 000002
【実用新案登録請求の範囲】
【請求項１】
（１）あらゆる形状（三角形、四角形、五角形、星型、楕円、雲型等）のプリント用紙にプリント可能。
（２）プリント用紙の縁までプリント可能。
（３）プリント用紙が少々カールしていても弱粘着面を有するプリント台紙に貼ることでプリント可能な平面を保持することができる。
（４）プリント用紙を天地逆さ又は斜めに貼り付けることにより、文字、図形、写真等を逆さ又は斜めにプリントすることができる。
（５）プリント用紙はＴＡＫシールも利用できる。
（６）プリント用紙を貼り付ける部分は再剥離のできる弱粘着性を有している。そのために複数回プリント用紙を貼り付け、剥離することができる。
を特徴とするプリント台紙。
【考案の詳細な説明】
【技術分野】
【０００１】この発案は、いろいろな形状（三角形、五角形、星型等）のプリント用紙をパソコンと準水平型インク式プリンターを用いてプリントできるようにする万能プリント台紙である。
【背景技術】
【０００２】従来はプリンターで使える用紙は長方形（正方形も含む）のみであった。
しかも用紙サイズは標準的にはＡ３〜Ａ７までである。
長方形以外の三角形、五角形、星形等の用紙へプリント用紙にするには、長方形プリント用紙にプリント後に、刃型・カッター・ハサミ等で指定の形状にカットする方法で行っている。この方法は、カッターまたは抜き加工の刃型が必要となり一般ユーザーが利用するには現実的ではなかった。
【考案の開示】
【考案が解決しようとする課題】
【０００３】本案は、パソコンと準水平型インク式カラープリンターを利用していろいろな形状のプリント用紙（紙製、フィルム製等）にプリントできるようにすることである。
【課題を解決するための手段】
【０００４】その解決手段を図面から説明すれば、準水平インク式プリンターが用紙をフィード（紙送り）できるプリント台紙にする。
プリント台紙には「枠あり」と「枠なし」がある。
プリント台紙の表面には再剥離の糊が塗布してあり、表面にはいろいろな形状のプリントしたい用紙を貼付け、取り外しすることができる。
即ち、プリント台紙にプリントしたい用紙を貼り付けて、プリント後にプリント用紙を取り外すことによって好きな形状のものを手にすることができる。
【考案の効果】
【０００５】従来はプリンターで利用できる用紙は長方形（正方形も含む）のみを対象にしていた。このプリント台紙を使うことによってあらゆる形の用紙へプリントすることができる。プリント台紙サイズはプリンター機種によるが利用可能巾以内なら、どのサイズ（Ａ３〜Ａ７）でも可能である。
このプリント台紙の新規性としては
（１）各種サイズ、多角形（丸型、三角形、五角形、星型等）の用紙へプリントすることができる。
（２）プリント用紙のプリント位置方向は３６０度自由自在である。
（３）プリント台紙のサイズに入る範囲なら同時に複数枚を貼り付けることができる。
（４）プリンターのオートフィーダー機能を利用することでプリンターのポッパーに複数枚のプリント台紙をセットすることにより連続してプリントすることができる。
【考案を実施するための最良の形態】
【実施例】
【０００６】実施例について図を参照して説明する。【０００７】図１は枠ありのプリント台紙の斜視図である。
プリント台紙は長方形の形状で、周りには巾約１０ｍｍの枠を設けてある。
台紙の表面には、粋部分を除いて、全面再剥離の糊が塗布してある。
プリント台紙の裏面は、プリンターが用紙のフィードをスムーズにする材料の材料にしてある。【０００８】図３は、プリント台紙（枠あり）の正面図である。【０００９】図４は「枠あり」プリント台紙の断面図である。
左右は枠部分、底辺はバックペーパーで表面には再剥離の糊が塗布してある。枠内の表面にプリント用紙を貼り付けた図である。【００１０】図５は「枠あり」プリント台紙にプリント用紙を貼付け前と後の図である。【００１１】図６は「枠あり」プリント台紙にいろいろな形のプリント用紙を貼り付ける前と後の図である。【００１２】図７は「枠なし」プリント台紙の断面図である。【００１３】図８は「枠なし」プリント台紙に全面サイズのプリント用紙を貼り付けた図である。
【図面の簡単な説明】
【００１４】
【図１】プリント台紙の「枠あり」の鳥瞰図である。
【図２】プリント台紙の「枠なし」の鳥瞰図である。
【図３】プリント台紙を正面からの枠と粘着部分のの図である。
【図４】枠ありプリント台紙の断面図である。
【図５】プリント台紙に長方形のプリント媒体を貼り付けた図である。
【図６】プリント台紙に各種図形のプリント媒体を貼り付けた図である。
【図７】枠なしプリント台紙の断面図である。
【図８】枠なしプリント台紙に長方形のプリント媒体を貼り付けて図である。
【符号の説明】
【００１５】１  枠ありプリント台紙の斜視図
２  枠なしプリント台紙の斜視図
３  プリント台紙の枠
４  プリント台紙の裏面素材（紙、フィルム等）
５  弱粘着面
６  プリント用紙
【図１】
0003136665.tif 000003
【図２】
0003136665.tif 000004
【図３】
0003136665.tif 000005
【図４】
0003136665.tif 000006
【図５】
0003136665.tif 000007
【図６】
0003136665.tif 000008
【図７】
0003136665.tif 000009
【図８】
0003136665.tif 000010
【手続補正書】
【提出日】平成19年4月5日(2007.4.5)
【手続補正１】
【補正対象書類名】実用新案登録請求の範囲
【補正対象項目名】請求項１
【補正方法】変更
【補正の内容】
【請求項１】
（１）一般的にプリンターでは使用できない薄い用紙
（２）三角形、円形、五角形、平行四辺形、星型、楕円形等の用紙
（３）ＴＡＫシール（再剥離）用紙
などの用紙を貼り付けてプリントできる万能プリント台紙
形状はＡ６〜Ａ３サイズまでとし、その構造の斜視図は図１、断面図は図４である。断面図の構成要素は図４の「符号の説明」にあるように、プリント台紙の基礎となる用紙の上に再剥離糊が塗布してある。プリント台紙の周りには厚い紙の枠を設けてあり、その枠はプリント台紙の基礎部分と接着してある。以上のような形状と構造の万能プリント台紙である。
【手続補正書】
【提出日】平成19年8月1日(2007.8.1)
【手続補正１】
【補正対象書類名】実用新案登録請求の範囲
【補正対象項目名】請求項１
【補正方法】変更
【補正の内容】
【請求項１】
（１）インクジェットプリンターではフィードできない薄い媒体
（２）三角形、円形、五角形、平行四辺形、星型、楕円形等はプリンターではフィードできない媒体
（３）プリンターではフィードできないＴＡＫシール媒体
などのプリント媒体を貼り付けてプリントできる台紙で、その構造の台紙形状は長方形で、厚さ０．３ｍｍ位の紙素材とし、内側を長方形に切り抜いた枠に、この枠と同じ大きさの再剥離シールを張り合わせた形のもので、上記（１）、（２）、（３）のプリント媒体を貼り付けてインクジェットプリンターでプリントできることを特徴とする万能プリント台紙である。